(57)【要約】【課題】    本発明の目的は、藻の発生を防ぐことができる水耕栽培装置、水耕栽培用被覆体及び水耕栽培方法を提供するものである。【解決手段】    水耕栽培方法は、複数の孔１ａ、１ａ・・・のそれぞれに植物を支持した植物支持体２、２・・・を挿入固定し、栽培槽３の栄養液４を覆う水耕栽培用被覆体１、１・・・を互いに接触させて並列に並べて栄養液４に浮かせ、植物を栽培する水耕栽培方法であって、接触する一方の水耕栽培用被覆体１Ｘと接触するの水耕栽培用被覆体１Ｙとの間に生じる隙間Ｓの下方に空間Ｋを形成し、この空間Ｋを栽培槽３の栄養液４に臨ませるものである。【選択図】図１
2018078861.tif 000002
【特許請求の範囲】
【請求項１】
複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培方法であって、
接触する一方の前記水耕栽培用被覆体と接触する他方の前記水耕栽培用被覆体との間に生じる隙間の下方に空間を形成し、この空間を前記栽培槽の栄養液に臨ませる
ことを特徴とする水耕栽培方法。
【請求項２】
水耕栽培用被覆体の周縁部の部位の厚みを複数の孔を有した前記水耕栽培用被覆体の部位の厚みより薄くする
ことを特徴とする請求項１記載の水耕栽培方法。
【請求項３】
複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培装置であって、
接触する一方の前記水耕栽培用被覆体と接触する他方の前記水耕栽培用被覆体との間に生じる隙間の下方に形成された空間を備え、
この空間を前記栽培槽の栄養液に臨ませる
ことを特徴とする水耕栽培装置。
【請求項４】
水耕栽培用被覆体の周縁部の部位の厚みを複数の孔を有した前記水耕栽培用被覆体の部位の厚みより薄くする
ことを特徴とする請求項３記載の水耕栽培装置。
【請求項５】
複数の孔のそれぞれに植物を支持した植物支持体を挿入固定し、栽培槽の栄養液に互いに接触させて並列に浮かべて使用する水耕栽培用被覆体であって、
前記水耕栽培用被覆体は、平面視、矩形形状であって、周縁部の部位の厚みを前記複数の孔を有した部位の厚みより薄くする
ことを特徴とする水耕栽培用被覆体。
【発明の詳細な説明】
【技術分野】
【０００１】
本発明は、水耕栽培装置、水耕栽培用被覆体及び水耕栽培方法に係り、特に、藻の発生を防ぐことができる水耕栽培装置、水耕栽培用被覆体及び水耕栽培方法に関する。
【背景技術】
【０００２】
従来、水耕栽培用被覆体（例えば、定植パネル）を並列状態に浮かべて使用する水耕栽培装置がある（特許文献１参照）。
この水耕栽培装置は、栽培槽の栄養液の上面に水耕栽培用被覆体を浮かべると共に、この水耕栽培用被覆体を複数枚用いて、栽培槽の栄養液の上面を覆って、栽培槽の栄養液中に藻が発生するのを防止している。
【先行技術文献】
【特許文献】
【０００３】
【特許文献１】特許第３４７７６４７号公報
【発明の概要】
【発明が解決しようとする課題】
【０００４】
ところが、上記水耕栽培装置にあっては、並列状態の一方の水耕栽培用被覆体（定植パネル３）と並列状態の他方の水耕栽培用被覆体（定植パネル３）との間に隙間（特許文献１の図１参照）が生じ、この隙間が栽培槽の栄養液に接触しているため、毛細管現象により前記隙間を介して栄養液が上昇し、この栄養液が水耕栽培の光源側に面していることもあって、藻の発生に必要な光、水、栄養の３条件が満たされ、水耕栽培用被覆体の表面に藻が発生して、植物の葉の裏面側に藻が付着し、藻の除去に手間を要するという問題点が生じた。
【０００５】
本発明は、前記問題点を考慮してなされたもので、藻の発生を防ぐことができる水耕栽培装置、水耕栽培用被覆体及び水耕栽培方法を提供することを目的とする。
【課題を解決するための手段】
【０００６】
請求項１記載の水耕栽培方法は、複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培方法であって、接触する一方の前記水耕栽培用被覆体と接触する他方の前記水耕栽培用被覆体との間に生じる隙間の下方に空間を形成し、この空間を前記栽培槽の栄養液に臨ませるものである。
【０００７】
また、請求項２記載の水耕栽培方法は、請求項１記載の水耕栽培方法において、水耕栽培用被覆体の周縁部の部位の厚みを複数の孔を有した前記水耕栽培用被覆体の部位の厚みより薄くするものである。
【０００８】
また、請求項３記載の水耕栽培装置は、複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培装置であって、接触する一方の前記水耕栽培用被覆体と接触する他方の前記水耕栽培用被覆体との間に生じる隙間の下方に形成された空間を備え、この空間を前記栽培槽の栄養液に臨ませるものである。
【０００９】
また、請求項４記載の水耕栽培装置は、請求項３記載の水耕栽培装置において、水耕栽培用被覆体の周縁部の部位の厚みを複数の孔を有した前記水耕栽培用被覆体の部位の厚みより薄くするものである。
【００１０】
また、請求項５記載の水耕栽培用被覆体は、複数の孔のそれぞれに植物を支持した植物支持体を挿入固定し、栽培槽の栄養液に互いに接触させて並列に浮かべて使用する水耕栽培用被覆体であって、前記水耕栽培用被覆体は、平面視、矩形形状であって、周縁部の部位の厚みを前記複数の孔を有した部位の厚みより薄くするものである。
【発明の効果】
【００１１】
水耕栽培用被覆体を並列状態に使用する従来の水耕栽培方法にあっては、並列状態の一方の水耕栽培用被覆体と並列状態の他方の水耕栽培用被覆体との間に形成される隙間が栽培槽の栄養液に接触しているため、毛細管現象により前記隙間を介して栄養液が上昇し、該栄養液が水耕栽培の光源側に面していることもあって、藻の発生に必要な光、水、栄養の３条件が満たされ、水耕栽培用被覆体の表面に藻が発生して、植物の葉の裏面側に藻が付着し、藻の除去に手間を要していたが、
請求項１記載の水耕栽培方法によれば、複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培方法であって、接触する一方の前記水耕栽培用被覆体と接触する他方の前記水耕栽培用被覆体との間に生じる隙間の下方に空間を形成し、この空間を前記栽培槽の栄養液に臨ませるため、従来生じていた毛細管現象を防いで、水耕栽培用被覆体の表面上の藻の発生を防止して、植物への藻の付着を抑制することができる。
【００１２】
また、請求項２載の水耕栽培方法によれば、上述した請求項１記載の発明の効果に加え、水耕栽培用被覆体の周縁部の部位の厚みを複数の孔を有した前記水耕栽培用被覆体の部位の厚みより薄くするため、接触する一方の前記水耕栽培用被覆体と接触する他方の前記水耕栽培用被覆体との間に生じる隙間の下方に形成する空間を簡易且つ迅速に形成することができる。
【００１３】
耕栽培用被覆体を並列状態に使用する従来の水耕栽培装置にあっては、並列状態の一方の水耕栽培用被覆体と並列状態の他方の水耕栽培用被覆体との間に形成される隙間が栽培槽の栄養液に接触しているため、毛細管現象により前記隙間を介して栄養液が上昇し、該栄養液が水耕栽培の光源側に面していることもあって、藻の発生に必要な光、水、栄養の３条件が満たされ、水耕栽培用被覆体の表面に藻が発生して、植物の葉の裏面側に藻が付着し、藻の除去に手間を要していたが、
請求項３記載の水耕栽培装置によれば、複数の孔のそれぞれに植物を支持した植物支持体を挿入固定し、栽培槽の栄養液を覆う水耕栽培用被覆体を互いに接触させて並列にに並べて前記栄養液に浮かせ、植物を栽培する水耕栽培装置であって、接触する一方の前記水耕栽培用被覆体と接触する他方の前記水耕栽培用被覆体との間に生じる隙間の下方に形成された空間を備え、この空間を前記栽培槽の栄養液に臨ませるため、従来生じていた毛細管現象を防いで、水耕栽培用被覆体の表面上の藻の発生を防止して、植物への藻の付着を抑制することができる。
【００１４】
また、請求項４記載の水耕栽培装置によれば、上述した請求項３記載の発明の効果に加え、水耕栽培用被覆体の周縁部の部位の厚みを複数の孔を有した前記水耕栽培用被覆体の部位の厚みより薄くするため、接触する一方の前記水耕栽培用被覆体と接触する他方の前記水耕栽培用被覆体との間に生じる隙間の下方に形成する空間を簡易且つ迅速に構成することができる。
【００１５】
水耕栽培用被覆本体の周縁部の部位の厚みと複数の孔を有した前記水耕栽培用被覆本体の部位の厚みが同じで均一である従来の水耕栽培用被覆体にあっては、栽培槽の栄養液に水耕栽培用被覆体を互いに接触させて並列状態に浮かべて使用した場合、接触する一方の水耕栽培用被覆体と接触する他方の水耕栽培用被覆体との間に形成される隙間が栽培槽の栄養液に接触しているため、毛細管現象により前記隙間を介して栄養液が上昇し、該栄養液が水耕栽培の光源側に面していることもあって、藻の発生に必要な光、水、栄養の３条件が満たされ、水耕栽培用被覆体の表面に藻が発生して、植物の葉の裏面側に藻が付着し、藻の除去に手間を要していたが、
請求項５記載の水耕栽培用被覆体によれば、水耕栽培用被覆体は、平面視、矩形形状であって、周縁部の部位の厚みを複数の孔を有した部位の厚みより薄くするため、複数の孔のそれぞれに植物を支持した植物支持体を挿入固定し、栽培槽の栄養液を覆う水耕栽培用被覆体を互いに接触させて並列に並べて前記栄養液に浮かせ、植物を栽培する水耕栽培装置に使用する場合、接触する一方の前記水耕栽培用被覆体と接触する他方の前記水耕栽培用被覆体との間に生じる隙間の下方に形成する空間を簡易且つ迅速に構成し、水耕栽培用被覆体の表面上の藻の発生を防止することができる。
【図面の簡単な説明】
【００１６】
【図１】図１は、本発明の一実施例の水耕栽培装置の要部を示すもので、図５記載の孔に植物を支持した植物支持体を挿入固定し、水耕栽培の使用状態の概略的断面図である。
【図２】図２は、図１の水耕栽培装置に使用される水耕栽培用被覆体（栽培パネル）の概略的斜視図である。
【図３】図３（ａ）は、図２の水耕栽培用被覆体（栽培パネル）の概略的平面図であり、図３（ｂ）は、図３（ａ）の概略的正面図であり、図３（ｃ）は、図３（ａ）のＡ−Ａ線による概略的断面図である。
【図４】図４は、図２の水耕栽培用被覆体（栽培パネル）を互いに接触させて並列に並べた使用状態の概略的平面図で、図４（ｂ）は、図４（ａ）のＡ−Ａ線による概略的断面図である。
【図５】図５は、図４（ｂ）の一部を拡大して示す概略的一部拡大断面図である。
【発明を実施するための形態】
【００１７】
本発明の一実施例の水耕栽培装置、水耕栽培用被覆体及び水耕栽培方法を図面（図１乃至図５）を参照して説明する。
図１に示すＰは水耕栽培装置で、水耕栽培装置Ｐは、土の代わりに栄養液（養液又は水耕肥料溶液）を供給して野菜を栽培する装置で、天候や季節などに影響を受けずに安定して植物を生産できるものである。
水耕栽培装置Ｐは、複数の孔１ａ、１ａ・・・のそれぞれに植物を支持した植物支持体２、２・・・を挿入固定し、栽培槽３の栄養液４を覆う水耕栽培用被覆体（栽培パネル、定植パネル）１を互いに接触させて並列（二つ以上のものが並ぶこと）に並べて栄養液４に浮かせ、植物を栽培するものである。
栄養液（養液又は水耕肥料溶液）４は、栄養塩類などの植物の生育に必要な成分（例えば、窒素、リン、カリウム、カルシウム、マグネシウム等）を含んだ水である。
【００１８】
植物支持体２は、例えば、図示しないスポンジ（スポンジは、例えば、発泡ウレタン等で形成）に所定間隔を置いて分割用切目を設けることにより形成されたスポンジブロック体で、レタス等の葉菜類の野菜の苗を支持するものである。
なお、水耕栽培用被覆体１の上方には、白色蛍光灯、LED等の図示しない光源（照明部）が設けられている。
【００１９】
水耕栽培用被覆体１は、発泡スチロール、発泡ポリプロピレン等で形成され、複数の孔１ａ、１ａ・・・のそれぞれに植物を支持した植物支持体２、２・・・を挿入固定し、栽培槽３の栄養液４に互いに接触させて並列に浮かべて使用するもので、水耕栽培用被覆体１は、平面視、矩形形状であって［図２〜図３（ａ）（ｂ）（ｃ）参照］、周縁部の部位の厚みｔを複数の孔１ａ、１ａ・・・を有した部位の厚みＴより薄くなっている（Ｔ＞ｔ）。
その結果、図５に示すように、接触する一方の水耕栽培用被覆体１（１Ｘ）と接触する他方の水耕栽培用被覆体１（１Ｙ）との間に隙間Ｓの下方に空間Ｋを形成し、この空間Ｋを栽培槽３の栄養液４に臨ませる構成となる。
【００２０】
なお、水耕栽培用被覆体を並列状態に使用する従来の水耕栽培方法にあっては、並列状態の一方の水耕栽培用被覆体と並列状態の他方の水耕栽培用被覆体との間に形成される隙間が栽培槽の栄養液に接触しているため、毛細管現象により前記隙間を介して栄養液が上昇し、該栄養液が水耕栽培の光源側に面していることもあって、藻の発生に必要な光、水、栄養の３条件が満たされ、水耕栽培用被覆体の表面に藻が発生して、植物の葉の裏面側に藻が付着し、藻の除去に手間を要していたが、
本実施例の水耕栽培装置（水耕栽培方法）Ｐによれば、複数の孔ａ、１ａ・・・のそれぞれに植物を支持した植物支持体２、２・・・を挿入固定し、栽培槽３の栄養液４を覆う水耕栽培用被覆体１を互いに接触させて並列に並べて栄養液４に浮かせ、植物を栽培する水耕栽培装置（水耕栽培方法）Ｐであって、接触する一方の水耕栽培用被覆体１（１Ｘ）と接触する他方の水耕栽培用被覆体１（１Ｙ）との間に生じる隙間Ｓの下方に空間Ｋを形成し、この空間Ｋを栽培槽３の栄養液４に臨ませるため、従来生じていた毛細管現象を防いで、水耕栽培用被覆体１の表面上の藻の発生を防止して、植物への藻の付着を抑制することができる（図１、図４、図５参照）。
【００２１】
なお、上述した水耕栽培用被覆体１は、発泡スチロール、発泡ポリプロピレン等で形成され、平面視、矩形形状であって、周縁部の部位の厚みtを図４及び図５に示すように、複数の孔１ａ、１ａ・・・を有した部位の厚みT(T>t)より薄くなっている。
そのため、隣接する水耕栽培用被覆体１、１との間に形成される隙間Ｓが空気５を介して栽培槽３の栄養液４に臨む構成を簡易に得ることができる。
【符号の説明】
【００２２】
Ｐ      水耕栽培装置
Ｓ      隙間
１      水耕栽培用被覆体（栽培パネル）
１Ｘ    接触する一方の水耕栽培用被覆体
１Ｙ    接触する他方の水耕栽培用被覆体
１ａ    孔
２      植物支持体
３      栽培槽
４      栄養液
Ｋ      空間
【図１】
2018078861.tif 000003
【図２】
2018078861.tif 000004
【図３】
2018078861.tif 000005
【図４】
2018078861.tif 000006
【図５】
2018078861.tif 000007